(57)【要約】【課題】煎じ薬や麦茶などをパックに入れて煎じる場合、やかん等の投入口から単にパックを投入するだけになるため、水面に浮上したまま煎じるか、箸などを使ってパックが水面に浮上するのを押さえて、煮出しが十分にできるようにする必要があるなどの問題があり、且つ、煎じる時間も長くならざるを得ないという問題があったので、小型で構造が簡単で安価な、パックを水中に拘束できる用具を提供することである。【解決の手段】断面形状が略Ｕ字型をし、任意の長さを持つチャンネル状の物体とし、さらに該Ｕ字型底部において、該チャンネルの内部と外部とを貫通する任意の形状の穴を１つまたは複数個設けた用具とすることである。【選択図】図１
0003097818.tif 000002
【実用新案登録請求の範囲】
【請求項１】
断面形状が略Ｕ字型をし、任意の長さを持つチャンネル状の物体であり、該Ｕ字型底部において、該チャンネルの内部と外部とを貫通する任意の形状の穴を１つまたは複数個設けたことを特徴とする、煎じ薬や麦茶などを収納したパックが煎じる時に水面に浮上することを防止するための用具。
【請求項２】
請求項１において、構成素材が鉄であることを特徴とする、煎じ薬や麦茶などを収納したパックが煎じる時に水面に浮上することを防止するための用具。
【考案の詳細な説明】
【０００１】
【考案の属する技術分野】本考案は煎じ薬や麦茶などを収納したパックが煎じる時に水面に浮上することを防止するための用具に関する。
【０００２】
【従来の技術】従来、煮物をする場合において、煮る物が煮汁に十分に漬かって、煮物全体が均一に煮上がるようにするために、煮る物の上にかぶせる方式の用具として所謂落し蓋が使用されていた。（例えば、特許文献１参照）
また、同様の目的で、煮る物を収納して、煮汁に漬かるようにする用具が使用されていた。（例えば、特許文献２参照）
【０００３】
【特許文献１】実開昭４９−１３９１５９号公報
【特許文献２】実開昭５５−２３６６８号公報
【０００４】
【考案が解決しようとする課題】上記に述べた、煮る物が単に煮汁の中に漬かるようにするためのものとして、実開昭４９−１３９１５９号公報のような煮る物の上にかぶせる蓋状のものは、概ね鍋の口径一杯に近い大きさで、扁平に近いものであったので、該パックのような小型のものを沸騰する湯の中で安定に押さえるには不向きであった。
【０００５】あるいは、実開昭５５−２３６６８号公報のように、煮る物を収納して煮汁に沈めて漬かるようにするものであったので、構造が複雑でありコスト高にならざるを得なかった。
【０００６】さらに、煎じ薬や麦茶などをパックに入れて煎じる場合、パックの大きさはさほど大きくなく、また、煎じるために使う容器は鍋などとは違い、やかん等の投入口があまり大きくないものを使って煎じるのが一般的である。その場合、上記手段では対応が困難なので、従来では一般的には、単に容器にパックを投入するだけになるため、水面に浮上したまま煎じるか、箸などを使ってパックが水面に浮上するのを押さえて、煮出しが十分にできるようにする必要があるなどの問題があり、且つ、煎じる時間も長くならざるを得ないという問題があった。
【０００７】それ故、本考案の課題は、小型でありながら確実にパックを拘束して水中に沈めることができ、取り扱いが簡単で、かつ、お湯の対流を妨げないシンプルな構造のものを安価に提供することである。
【０００８】
【課題を解決するための手段】上記課題を解決するために、本考案においては請求項１に述べたごとく、断面形状が略Ｕ字型をし、任意の長さを持つチャンネル状の物体とし、さらに該Ｕ字型底部において、該チャンネルの内部と外部とを貫通する任意の形状の穴を１つまたは複数個設けた用具とすることである。
【０００９】
【考案の実施の形態】請求項１に述べた本考案の第１の実施の形態は、図１に示すごとく、断面形状が略Ｕ字型をし、任意の長さを持つチャンネル状の物体とし、該Ｕ字型底部２において、該チャンネルの内部と外部とを貫通する任意の形状の穴を１つまたは複数個設けた構造、即ちデザインを考慮した透かし模様３で構成した用具１とすることである。
【００１０】このことにより、煎じ薬や麦茶などを入れたパックを煎じるときに、該用具１の該Ｕ字型底部２とチャンネル状の内側にパックを拘束して、パックが水面に浮上することを防止するので、煮出しが十分にできるようになると共に、該Ｕ字型底部２に内部と外部を貫通する穴が１つまたは複数個あり且つ、チャンネル状の長て方向は開口部４のように開口しているので、お湯の対流がスムーズに行われて、煎じることによる煮出しが十分にできることになる。
【００１１】さらに、請求項２に述べた本考案の第２の実施の形態は、該用具１の構成素材を鉄とすることであり、そのことによって、重量を付加することができるので、お湯の沸騰時にもパックをお湯の中に安定して拘束することができることになる。
【００１２】さらに、副次的ではあるが、素材を鉄にすることにより、煎じている最中に鉄分が溶出するので、摂取する必要のある不足がちな鉄分の補給にも役立つことになる。
【００１３】尚、Ｕ字型底部２の形状はＵ字型に限定するものではなく、Ｖ字型、コの字型、あるは、波型にするなどデザイン上、各種考えることができる。
【００１４】また、チャンネル状の両端の開口部４は図１のように全面開放タイプに限らず、パックの飛び出しを抑制するために、図４に示すように、底部からの立ち上り部７があっても良い。
【００１５】さらに、チャンネル状の両脚部５は相互に並行でなくても端面６に向うに従って開いていても良い。
【００１６】さらに、チャンネル状の両脚部５の形状ならびにその端面６の形状は図１のように、必ずしも平面や直線でなくても、曲面や曲線で構成されていても良い。
【００１７】加えて、チャンネル状の両脚部５の表面は図１のように平滑面でなく凹凸があっても、あるいは内部と外部を貫通する任意の形状の穴が１つあるいは複数個あいていても良い。
【００１８】尚、煎じ薬や麦茶などを収納するものを、一般的には、パックあるいはバッグと呼ばれているが、上記においてはパックに統一して表示した。
【００１９】また、上記においては煎じ薬や麦茶などを収納したパックとしてきたが、収納する物品は煎じ薬や麦茶などに限定するものではない。
【００２０】
【考案の効果】以上に述べたごとく、本考案の煎じ薬や麦茶を収納したパックが煎じる時に水面に浮上することを防止するための用具を使用することにより、煎じ薬や麦茶などを煎じる時に、パックを水中に拘束することができるので、箸などで水中に押さえ込むことなく、短時間に十分に煮出すことができるようになるとともに、構造が単純であるので安価に用具を提供できる。
【００２１】加えて、煎じる時に素材の鉄分が溶出するので、煎じたものを飲む時に同時に、摂取する必要のある不足がちな鉄分の補給もできる利点も兼ね備えている。
【図面の簡単な説明】
【図１】本考案の第１の実施の形態の用具の斜視図。
【図２】図１における断面Ａ−Ａ′の断面図。
【図３】図１における断面Ｂ−Ｂ′の断面図。
【図４】本考案の他の実施の形態の用具の斜視図。
【符号の説明】
１．　本考案の用具
２．　Ｕ字型底部
３．　穴（透かし模様）
４．　開口部
５．　脚部
６．　脚部端面
７．　立ち上り部
【図１】
0003097818.tif 000003
【図２】
0003097818.tif 000004
【図３】
0003097818.tif 000005
【図４】
0003097818.tif 000006